(57)【要約】【課題】柔軟な取引対象の購入を実現すること。【解決手段】本願に係る提供装置は、取得部と、第１提供部と、第２提供部とを有する。取得部は、所定の施設において販売されている取引対象の撮影画像を取得する。第１提供部は、取得部により取得された撮影画像に基づいた情報である撮影情報を利用者に提供する。第２提供部は、撮影情報に基づいて利用者が選択した取引対象の情報である取引対象情報を、取引対象の購入を代行する購入者に提供する。【選択図】図２
2020149613.tif 000002
【特許請求の範囲】
【請求項１】
所定の施設において販売されている取引対象の撮影画像を取得する取得部と、
取得部により取得された撮影画像に基づいた情報である撮影情報を利用者に提供する第１提供部と、
前記撮影情報に基づいて前記利用者が選択した取引対象の情報である取引対象情報を、当該取引対象の購入を代行する購入者に提供する第２提供部と、
を有することを特徴とする提供装置。
【請求項２】
前記取得部は、
所定の撮影者によって撮影された撮影画像を取得する、
ことを特徴とする請求項１に記載の提供装置。
【請求項３】
前記第２提供部は、
前記撮影者として前記撮影画像を撮影した購入者に対し、当該購入者が撮影した取引対象の情報である取引対象情報を提供する、
ことを特徴とする請求項２に記載の提供装置。
【請求項４】
前記取得部は、
複数の撮影者がそれぞれ個別に撮影した撮影画像であって、同一の施設において販売されている取引対象の撮影画像を取得し、
前記第１提供部は、
前記撮影画像のうち、前記利用者が選択した撮影者により撮影された撮影画像に基づいた撮影情報を提供する、
ことを特徴とする請求項１〜３のうちいずれか１つに記載の提供装置。
【請求項５】
前記第１提供部は、
利用者からの選択履歴に応じた人気度が所定の条件を満たす撮影者により撮影された撮影画像に基づく撮影情報を提供する、
ことを特徴とする請求項４に記載の提供装置。
【請求項６】
前記第１提供部は、
撮影されてから経過した期間が最も短い撮影画像に基づく撮影情報を提供する、
ことを特徴とする請求項４に記載の提供装置。
【請求項７】
前記取得部により取得された撮影画像から、取引対象が撮影された範囲を抽出する抽出部、
を有し、
前記第１提供部は、
前記抽出部により抽出された範囲を選択可能な状態で前記撮影画像を前記利用者に提供し、
前記第２提供部は、
前記利用者が選択した範囲に含まれる取引対象の取引対象情報を前記購入者に提供する、
ことを特徴とする請求項１〜６のうちいずれか１つに記載の提供装置。
【請求項８】
前記第１提供部は、
前記撮影画像に撮影されている取引対象に関する情報を前記撮影情報として前記利用者に提供する、
ことを特徴とする請求項１〜７のうちいずれか１つに記載の提供装置。
【請求項９】
前記第２提供部は、
前記取引対象情報として、前記利用者が選択した取引対象を示す情報と、当該取引対象の撮影画像が撮影された施設を示す情報とを含む取引対象情報を前記購入者に提供する、
ことを特徴とする請求項１〜８のうちいずれか１つに記載の提供装置。
【請求項１０】
前記購入者により前記取引対象情報が示す取引対象が購入された場合は、当該取引対象の購入費用と、当該購入者に対して提供される購入手数料とを含む請求金額を前記利用者に対して設定する設定部、
を有することを特徴とする請求項１〜９のうちいずれか１つに記載の提供装置。
【請求項１１】
前記設定部は、
前記購入費用と、前記購入手数料とに加えて、購入された取引対象の撮影画像を撮影した撮影者に対して提供される撮影手数料とを含む請求金額を前記利用者に対して設定する、
ことを特徴とする請求項１０に記載の提供装置。
【請求項１２】
前記設定部は、
前記取引対象が購入され、かつ、当該取引対象が前記利用者に対して提供された場合は、前記請求金額を前記利用者に対して提供する、
ことを特徴とする請求項１０または１１に記載の提供装置。
【請求項１３】
前記設定部は、
所定の決済手段を用いて前記購入者が前記取引対象を購入した場合は、当該決済手段を介して前記購入手数料を前記購入者に対して提供し、当該決済手段を介して前記購入費用と前記購入手数料とを前記利用者に対して請求する、
ことを特徴とする請求項１０〜１２のうちいずれか１つに記載の提供装置。
【請求項１４】
前記第１提供部は、
前記撮影画像に撮影されるオブジェクトのうち、前記取引対象に関するオブジェクト以外のオブジェクトを消去した画像を前記撮影情報として前記利用者に提供する、
ことを特徴とする請求項１〜１３のうちいずれか１つに記載の提供装置。
【請求項１５】
前記第１提供部は、
利用者の位置から所定の範囲内に所在する施設で撮影された撮影画像に基づく撮影情報を提供する、
ことを特徴とする請求項１〜１４のうちいずれか１つに記載の提供装置。
【請求項１６】
前記第２提供部は、
前記利用者が選択した取引対象が撮影された施設から所定の範囲内に所在する購入者に対し、当該取引対象の取引対象情報を提供する、
ことを特徴とする請求項１〜１５のうちいずれか１つに記載の提供装置。
【請求項１７】
提供装置が実行する提供方法であって、
所定の施設において販売されている取引対象の撮影画像を取得する取得工程と、
取得工程により取得された撮影画像に基づいた情報である撮影情報を利用者に提供する第１提供光栄と、
前記撮影情報に基づいて前記利用者が選択した取引対象の情報である取引対象情報を、当該取引対象の購入を代行する購入者に提供する第２提供工程と、
を含むことを特徴とする提供方法。
【請求項１８】
所定の施設において販売されている取引対象の撮影画像を取得する取得手順と、
取得手順により取得された撮影画像に基づいた情報である撮影情報を利用者に提供する第１提供手順と、
前記撮影情報に基づいて前記利用者が選択した取引対象の情報である取引対象情報を、当該取引対象の購入を代行する購入者に提供する第２提供手順と、
をコンピュータに実行させるための提供プログラム。
【発明の詳細な説明】
【技術分野】
【０００１】
本発明は、提供装置、提供方法及び提供プログラムに関する。
【背景技術】
【０００２】
近年、インターネットを介して商品やサービス等といった取引対象の購買を実現する技術が知られている。例えば、代行者が利用者に代わって販売店に訪問し、利用者によって指定された下見項目に沿った下見の結果を利用者に対して提供するとともに、利用者からの指示に従って、代行者が販売店で販売されている商品の購入を行う技術が知られている。
【先行技術文献】
【特許文献】
【０００３】
【特許文献１】特開２００２−１５００２６号公報
【発明の概要】
【発明が解決しようとする課題】
【０００４】
しかしながら、上述した従来技術では、柔軟な取引対象の購入を実現できるとは言えない場合がある。
【０００５】
例えば、上述した従来技術では、予め作成された商品のカタログから選択された取引対象の下見を行う。このため、生鮮食料品等、販売店において実際に販売されている取引対象の確認を行うのが困難となる。また、利用者の中には、販売店において実際に販売されている取引対象の様子から、購入する取引対象を決める利用者が存在すると考えられるが、このような利用者に対して、適切な態様での取引を提供しているとは言えない。
【０００６】
本願は、上記に鑑みてなされたものであって、柔軟な取引対象の購入を実現することができる提供装置、提供方法及び提供プログラムを目的とする。
【課題を解決するための手段】
【０００７】
本願に係る提供装置は、所定の施設において販売されている取引対象の撮影画像を取得する取得部と、取得部により取得された撮影画像に基づいた情報である撮影情報を利用者に提供する第１提供部と、前記撮影情報に基づいて前記利用者が選択した取引対象の情報である取引対象情報を、当該取引対象の購入を代行する購入者に提供する第２提供部と、を有することを特徴とする。
【発明の効果】
【０００８】
実施形態の一態様によれば、柔軟な取引対象の購入を実現することができるという効果を奏する。
【図面の簡単な説明】
【０００９】
【図１】図１は、実施形態に係る提供装置が実行する提供処理の一例を示す図である。
【図２】図２は、実施形態に係る提供装置の構成例を示す図である。
【図３】図３は、実施形態に係る撮影画像データベースの一例を示す図である。
【図４】図４は、実施形態に係る店舗データベースの一例を示す図である。
【図５】図５は、実施形態に係る決済データベースの一例を示す図である。
【図６】図６は、実施形態に係る提供装置が実行する提供処理の流れの一例を示すフローチャートである。
【図７】図７は、提供装置の機能を実現するコンピュータの一例を示すハードウェア構成図である。
【発明を実施するための形態】
【００１０】
以下に、本願に係る提供装置、提供方法及び提供プログラムを実施するための形態（以下、「実施形態」と呼ぶ）について図面を参照しつつ詳細に説明する。なお、この実施形態により本願に係る提供装置、提供方法及び提供プログラムが限定されるものではない。また、各実施形態は、処理内容を矛盾させない範囲で適宜組み合わせることが可能である。また、以下の各実施形態において同一の部位には同一の符号を付し、重複する説明は省略される。
【００１１】
〔１．提供装置が示す提供処理の一例〕
図１を用いて、実施形態に係る提供装置１００が実行する提供処理の一例について説明する。図１は、実施形態に係る提供装置１００が実行する提供処理の一例を示す図である。具体的には、提供装置１００は、撮影情報に基づいて利用者が選択した取引対象の情報である取引対象情報を、取引対象の購入を代行する購入者に提供する。
【００１２】
なお、ここでいう取引対象とは、商品又はサービスである。例えば、サービスとは、利用者によって実際の店舗を介して利用されたサービスのみならず、利用者によってネットワークを介して発注を受け、利用者に対して直接提供されるサービスや、注文を行った利用者以外の利用者に対して提供されたサービス、ネットワークを介して提供されるサービス等を含むものである。また、以下には、取引対象が商品であるものとして例を挙げて説明する。
【００１３】
図１に示すように、提供システム１は、利用者端末装置１０と、撮影者端末装置２０と、購入者端末装置３０と、提供装置１００とを含む。利用者端末装置１０、撮影者端末装置２０、購入者端末装置３０及び提供装置１００は、図示しない所定の通信網を介して、有線又は無線により通信可能に接続される。なお、図１に示す提供システム１には、複数台の利用者端末装置１０や、複数台の撮影者端末装置２０や、複数台の購入者端末装置３０や、複数台の提供装置１００が含まれてもよい。
【００１４】
実施形態に係る利用者端末装置１０は、ブラウザに表示されるウェブページやアプリケーション用のコンテンツ等のコンテンツにアクセスする利用者によって利用される情報処理装置である。例えば、利用者端末装置１０は、デスクトップ型ＰＣ（Personal  Computer）や、ノート型ＰＣや、タブレット端末や、携帯電話機や、ＰＤＡ（Personal  Digital  Assistant）等である。
【００１５】
また、利用者端末装置１０は、ＧＰＳ（Global  Positioning  System）センサ等の機能を有し、利用者の位置情報（センサ情報）を検知し、取得するものとする。また、利用者端末装置１０は、通信を行っている基地局の位置情報や、ＷｉＦｉ（登録商標）（Wireless  Fidelity）の電波を用いて利用者の位置情報を推定し、取得してもよい。
【００１６】
図１の例では、利用者端末装置１０が利用者Ｕ１によって利用されるスマートフォンである場合を示す。なお、以下では、利用者端末装置１０を利用者と表記する場合がある。すなわち、以下では、利用者を利用者端末装置１０と読み替えることもできる。
【００１７】
実施形態に係る撮影者端末装置２０は、ブラウザに表示されるウェブページやアプリケーション用のコンテンツ等のコンテンツにアクセスする撮影者によって利用される情報処理装置である。また、例えば、撮影者端末装置２０は、カメラを内蔵する。例えば、撮影者端末装置２０は、デスクトップ型ＰＣや、ノート型ＰＣや、タブレット端末や、携帯電話機や、ＰＤＡ等である。なお、撮影者端末装置２０は、例えば、撮影者の視線の先を撮影するカメラを有する眼鏡型のデバイス等、各種のウェアラブルデバイスであってもよく、ネットワークとの接続機能を有する各種のカメラ装置であってもよい。
【００１８】
また、撮影者端末装置２０は、ＧＰＳセンサ等の機能を有し、撮影者の位置情報を検知し、取得するものとする。また、撮影者端末装置２０は、通信を行っている基地局の位置情報や、ＷｉＦｉ（登録商標）の電波を用いて撮影者の位置情報を推定し、取得してもよい。
【００１９】
図１の例では、撮影者端末装置２０が撮影者Ｐ１によって利用されるスマートフォンである場合を示す。なお、以下では、撮影者端末装置２０を撮影者と表記する場合がある。すなわち、以下では、撮影者を撮影者端末装置２０と読み替えることもできる。
【００２０】
実施形態に係る購入者端末装置３０は、ブラウザに表示されるウェブページやアプリケーション用のコンテンツ等のコンテンツにアクセスする購入者であって、所定の商品の購入を代行する購入者によって利用される情報処理装置である。例えば、購入者端末装置３０は、デスクトップ型ＰＣや、ノート型ＰＣや、タブレット端末や、携帯電話機や、ＰＤＡ等である。
【００２１】
また、購入者端末装置３０は、ＧＰＳセンサ等の機能を有し、購入者の位置情報を検知し、取得するものとする。また、購入者端末装置３０は、通信を行っている基地局の位置情報や、ＷｉＦｉ（登録商標）の電波を用いて購入者の位置情報を推定し、取得してもよい。
【００２２】
図１の例では、購入者端末装置３０が購入者Ｂ１によって利用されるスマートフォンである場合を示す。なお、以下では、購入者端末装置３０を購入者と表記する場合がある。すなわち、以下では、購入者を購入者端末装置３０と読み替えることもできる。
【００２３】
実施形態に係る提供装置１００は、例えば、サーバ装置等により実現される。具体的には、提供装置１００は、所定の施設において販売されている取引対象の撮影画像を取得する。そして、提供装置１００は、かかる撮影画像に基づいた情報である撮影情報を利用者に提供する。そして、提供装置１００は、かかる撮影情報に基づいて利用者が選択した取引対象の情報である取引対象情報を、取引対象の購入を代行する購入者に提供する。なお、以下では、提供装置１００は、店舗に関する情報が記憶される店舗データベースと、決済に関する情報が記憶される決済データベースとを予め有しているものとする。
【００２４】
以下、図１を用いて、提供装置１００による提供処理の一例を流れに沿って説明する。
【００２５】
まず、図１に示すように、撮影者Ｐ１は、各店舗内の様子を動画像で撮影する（ステップＳ１）。例えば、撮影者Ｐ１は、会社に出社する前に、スーパーマーケットＳＴ１と、家電量販店ＳＴ２との店舗内の様子を動画像で撮影する。そして、撮影者Ｐ１は、会社に出社する。例えば、撮影者Ｐ１は、店舗内の様子として、商品の陳列状況や、商品の陳列箇所に関する様子を動画像で撮影する。
【００２６】
なお、提供装置１００が電子メールやアプリケーションによる通知を介して適宜、撮影に関する要求を撮影者Ｐ１に送信してもよい。また、図１の例では、撮影者Ｐ１が出社前に、スーパーマーケットＳＴ１を訪問して店舗内の様子を動画像で撮影した後に、家電量販店ＳＴ２に赴き、各店舗内の様子を動画像で撮影した後に出社する例を説明したが、上記例に限定されなくともよく、退社後に各店舗内の様子を動画像で撮影してもよい。後述するように、撮影者Ｐ１には、動画像を撮影した事に対する報酬が付与される場合がある。このように、撮影者Ｐ１は、出社時における移動経路上の店舗を訪問して各店舗内の動画像を撮影することで、移動時間を無駄にすることなく、報酬を得ることができる。
【００２７】
また、図１の例では、撮影者Ｐ１が人の例を説明したが、人でなくとも良く、ドローン等でもよい。例えば、ドローンは、自動若しくは所定の操作者による操作に応じて、各店舗内に配置された取引対象の動画像を撮影してもよい。また、撮影者Ｐ１は、ショッピングカートに予めカメラが設置されたショッピングカートを用いて撮影を行ってもよい。例えば、各店舗には、タブレット等の情報表示装置やカメラ、測位システム等を備え、所在位置の近傍に配置された取引対象の情報やセール情報等を利用者に提供する所謂スマートカートが配置されている場合がある。このような場合、撮影者Ｐ１は、店舗に設置されたスマートカートを用いて、動画像の撮影を行ってもよい。
【００２８】
続いて、提供装置１００は、撮影画像を取得する（ステップＳ２）。すなわち、提供装置１００は、撮影者Ｐ１によって撮影された動画像のうち、商品に関する情報を含む撮影画像を取得することができる。具体的には、提供装置１００は、所定の施設において販売されている取引対象の撮影画像を取得する。より具体的には、提供装置１００は、所定の撮影者によって撮影された撮影画像を取得する。
【００２９】
例えば、提供装置１００は、撮影者Ｐ１によって撮影されたスーパーマーケットＳＴ１と、家電量販店ＳＴ２との店舗内の様子に関する撮影画像を撮影者端末装置２０から取得する。
【００３０】
そして、提供装置１００は、画像認識技術を用いて、撮影画像から商品を抽出する（ステップＳ３）。すなわち、提供装置１００は、撮影者Ｐ１によって撮影された動画像のうち、商品に関する情報を含む撮影画像を抽出することができる。具体的には、提供装置１００は、撮影画像から、商品が撮影された範囲を抽出する。例えば、提供装置１００は、画像認識技術を用いて、撮影画像から商品に関する情報を抽出する。例えば、商品に関する情報とは、商品の名称、価格、画像、動画中の撮影位置、商品に関する情報についてのリンクに関する情報等である。
【００３１】
続いて、提供装置１００は、商品部分を選択可能な状態で、撮影画像を利用者Ｕ１に提供する（ステップＳ４）。すなわち、提供装置１００は、利用者Ｕ１にわかりやすいように商品に関する情報を含む撮影画像を提供することができる。なお、提供装置１００は、利用者Ｕ１に対してリアルタイムで商品に関する情報を提供してもよい。すなわち、提供装置１００は、撮影者Ｐ１が撮影した動画像をライブ動画として配信してもよい。また、提供装置１００は、利用者Ｕ１に対してリアルタイムで商品に関する情報を提供することができるため、利用者Ｕ１に対して需要発見の機会を提供することもできる。なお、実施形態は、これに限定されるものではなく、提供装置１００は、撮影者Ｐ１が撮影した動画像をアーカイブとして保持しておき、利用者Ｕ１がアーカイブを選択した際に動画像の配信を行ってもよい。
【００３２】
ここで、提供装置１００は、撮影画像に撮影されている取引対象に関する情報を撮影情報として利用者に提供する。より具体的には、提供装置１００は、抽出された範囲を選択可能な状態で撮影画像を利用者Ｕ１に提供する。
【００３３】
例えば、商品がカメラと、りんごであるものとする。この場合、図１の例では、提供装置１００は、撮影画像に撮影されているカメラとりんごとに関する情報を撮影情報として利用者Ｕ１に提供する。例えば、提供装置１００は、各種の画像解析技術を用いて、動画像のうち取引対象が撮影された範囲を特定し、特定した範囲を選択可能な状態で配信する。すなわち、提供装置１００は、利用者Ｕ１が商品の選択がしやすいように撮影画像と、商品の選択に関する情報とを含むコンテンツを利用者Ｕ１に提供する。なお、上記例では、利用者Ｕ１に撮影画像と、商品の選択に関する情報とを含むコンテンツを提供する例を説明したが、上記例に限定されなくともよく、利用者Ｕ１が予めインストールしているアプリケーションを介して撮影画像と、商品の選択に関する情報とを提供してもよい。また、提供装置１００は、例えば、各店舗で販売されている取引対象のデータベースを用いて、撮影された取引対象の情報（例えば、商品名や価格等）を取得し、取得した情報を動画像を重ねて表示してもよく、利用者が動画像の撮影対象を選択した際に、かかる情報を表示してもよい。
【００３４】
そして、提供装置１００は、撮影画像に含まれる商品のうち、利用者Ｕ１による購入したい商品の選択を受付ける（ステップＳ５）。このような場合、提供装置１００は、利用者が選択した範囲に含まれる取引対象を購入対象とする。すなわち、提供装置１００は、利用者Ｕ１が商品の選択がしやすいように撮影画像と、商品の選択に関する情報とを含むコンテンツを利用者Ｕ１に提供し、利用者Ｕ１が商品を選択しやすいように促すことができる。続いて、提供装置１００は、選択された商品が撮影された店舗から所定の範囲内に所在する購入者Ｂ１を特定する（ステップＳ６）。すなわち、提供装置１００は、利用者が所望の店舗を選択させることができる。
【００３５】
例えば、所定の範囲内として、半径５ｋｍ以内の距離を探索するものとする。この場合、図１の例では、提供装置１００は、選択された商品が撮影された店舗から所定の範囲内に所在する購入者のうち、店舗と購入者との距離が半径５ｋｍ以内の距離に位置する購入者Ｂ１を特定する。
【００３６】
そして、提供装置１００は、特定した購入者Ｂ１に対して、店舗の情報と商品の情報とを提供する（ステップＳ７）。具体的には、提供装置１００は、取引対象情報として、利用者が選択した取引対象を示す情報と、取引対象の撮影画像が撮影された施設を示す情報とを含む取引対象情報を購入者に提供する。
【００３７】
例えば、商品がカメラと、りんごであるものとする。この場合、図１の例では、提供装置１００は、特定した購入者Ｂ１に対して、スーバーマーケットＳＴ１とりんごとの組み合わせと、家電量販店ＳＴ２とカメラとの組み合わせとに関する情報を提供する。
【００３８】
続いて、購入者Ｂ１は、商品を購入し、利用者Ｕ１に商品を提供する（ステップＳ８）。例えば、図１の例では、購入者Ｂ１は、商品を購入し、利用者Ｕ１に商品を配送する。なお、購入者Ｂ１は、所定のアプリケーションを予めインストールしておき、商品をタップ等の操作をすることで、仮想買物かごに商品を入れて購入してもよい。また、購入者Ｂ１は、商品を購入し、利用者Ｕ１に商品を直接届けてもよい。また、購入者Ｂ１は、所定の配送業者及びバイク便の事業者が行ってもよい。また、購入者Ｂ１は、ドローン等でもよい。
【００３９】
そして、提供装置１００は、商品の提供を契機として、撮影手数料を撮影者Ｐ１に設定し、購入手数料を購入者Ｂ１に提供するとともに、各手数料と購入費用とを利用者Ｕ１に請求する（ステップＳ９）。
【００４０】
具体的には、提供装置１００は、購入者により取引対象情報が示す取引対象が購入された場合は、取引対象の購入費用と、購入者に対して提供される購入手数料とを含む請求金額を利用者に対して設定する。また、具体的には、提供装置１００は、購入費用と、購入手数料とに加えて、購入された取引対象の撮影画像を撮影した撮影者に対して提供される撮影手数料とを含む請求金額を利用者に対して設定する。
【００４１】
より具体的には、提供装置１００は、取引対象が購入され、かつ、取引対象が利用者に対して提供された場合は、請求金額を利用者に対して提供する。また、提供装置１００は、所定の決済手段を用いて購入者が取引対象を購入した場合は、決済手段を介して購入手数料を購入者に対して提供し、決済手段を介して購入費用と購入手数料とを利用者に対して請求する。
【００４２】
例えば、商品がカメラと、りんごであるものとする。また、カメラの価格が「２００００円」であり、りんごの価格が「９０円」であるものとする。また、撮影手数料が「１０００円」であるものとする。また、購入手数料が「３００円」であるものとする。この場合、図１の例では、提供装置１００は、購入者によってカメラとりんごが購入された場合に、カメラとりんごの購入費用である「２００９０円」と、撮影手数料が「１０００円」と、購入手数料「３００」との和である請求金額「２１３９０円」を利用者Ｕ１に請求する。
【００４３】
なお、撮影手数料及び購入手数料の算出方法は、如何なる方法でもよい。例えば、撮影手数料は、一律固定された金額、移動距離に応じて増加する金額等であってもよい。例えば、購入手数料は、一律固定された金額、購入金額の１０％等であってもよい。また、なお、決済方法は、如何なる方法であってもよく、例えば、現金、電子決済等であってもよい。
【００４４】
また、撮影者Ｐ１を購入者Ｂ１としてもよい。このような場合、購入者Ｂ１は、会社から帰宅する際に、自身が撮影したスーパーマーケットＳＴ１や家電量販店ＳＴ２に訪問し、利用者Ｕ１により指定された取引対象を購入することができる。そして、撮影者Ｐ１は、購入した商品を利用者Ｕ１に提供することで、撮影に対する報酬のみならず、商品の購入に対する報酬をも取得することができる。また、撮影者Ｐ１や購入者Ｂ１は、購入した取引対象を自身で利用者Ｕ１に提供してもよく、例えば、バイク便等の各種配達サービスを介して提供してもよい。また、提供装置１００は、撮影者Ｐ１や購入者Ｂ１が取引対象を自身で利用者Ｕ１に提供した場合、取引対象の配送に対する報酬を設定してもよい。
【００４５】
このように、実施形態に係る提供装置１００は、所定の施設において販売されている取引対象の撮影画像を取得する。そして、提供装置１００は、かかる撮影画像に基づいた情報である撮影情報を利用者に提供する。そして、提供装置１００は、かかる撮影情報に基づいて利用者が選択した取引対象の情報である取引対象情報を、取引対象の購入を代行する購入者に提供する。これにより、実施形態に係る提供装置１００は、撮影情報に基づいて利用者が選択した取引対象の情報である取引対象情報を、取引対象の購入を代行する購入者に提供するため、柔軟な取引対象の購入を実現することができる。
【００４６】
この点について説明する。図１の例を用いて説明すると、提供装置１００は、撮影者Ｐ１によって撮影された撮影画像のうち、商品部分を選択可能な状態で、撮影画像を利用者Ｕ１に提供する。そして、提供装置１００は、購入者Ｂ１に対して、店舗の情報と商品の情報とを提供する。これにより、提供装置１００は、利用者が所望の商品を遠隔操作することによって購入することができる。また、提供装置１００は、利用者が所望の店舗を選択することもできる。このことから、提供装置１００は、高齢者や障がい者といった自由に店舗に行き来できない利用者にも、所望の店舗で販売される所望の商品の購入を促すことができる。したがって、提供装置１００は、如何なる利用者にも柔軟な商品の購入を実現することができるため、よりよいサービスを提供することができる。また、提供装置１００は、商品の購入と、商品の決済とを統合させた統合事業戦略を実現することが可能である。
【００４７】
〔２．提供装置の構成〕
次に、図２を用いて、実施形態に係る提供装置１００の構成について説明する。図２は、実施形態に係る提供装置１００の構成例を示す図である。図２に示すように、提供装置１００は、通信部１１０と、記憶部１２０と、制御部１３０とを有する。
【００４８】
（通信部１１０について）
通信部１１０は、例えば、ＮＩＣ（Network  Interface  Card）等によって実現される。そして、通信部１１０は、ネットワークと有線又は無線で接続され、利用者端末装置１０と所有者端末装置２０との間で情報の送受信を行う。
【００４９】
（記憶部１２０について）
記憶部１２０は、例えば、ＲＡＭ（Random  Access  Memory)、フラッシュメモリ（Flash  Memory）等の半導体メモリ素子、または、ハードディスク、光ディスク等の記憶装置によって実現される。記憶部１２０は、撮影画像データベース１２１と、店舗データベース１２２と、決済データベース１２３とを有する。
【００５０】
（撮影画像データベース１２１について）
実施形態に係る撮影画像データベース１２１は、撮影画像に関する情報を記憶する。ここで、図３に、実施形態に係る撮影画像データベース１２１の一例を示す。図３に示した例では、撮影画像データベース１２１は、「動画ＩＤ（Identifier）」、「撮影者ＩＤ」、「撮影店舗」、「撮影日時」、「動画像データ」、「商品情報」、「選択履歴」といった項目を有する。
【００５１】
「動画ＩＤ」は、動画を識別する識別子である。「撮影者ＩＤ」は、撮影者を識別する識別子である。「撮影店舗」は、「動画ＩＤ」に対応付けられた店舗に関する情報であって、「撮影者ＩＤ」に対応付けられた店舗に関する情報である。
【００５２】
「撮影日時」は、「動画ＩＤ」に対応付けられた撮影日時に関する情報であって、「撮影者ＩＤ」に対応付けられた撮影日時に関する情報である。「動画像データ」は、「動画ＩＤ」に対応付けられた動画像に関する情報であって、「撮影者ＩＤ」に対応付けられた動画像に関する情報である。
【００５３】
「商品情報」は、「動画ＩＤ」に対応付けられた商品に関する情報であって、「撮影者ＩＤ」に対応付けられた商品に関する情報である。例えば、商品情報は、画像認識技術により、画像から抽出した商品の名称、価格、画像、動画中の撮影位置、商品に関する情報についてのリンクに関する情報等を含んでもよい。「選択履歴」は、「動画ＩＤ」に対応付けられた利用者によって選択された商品の履歴に関する情報であって、「撮影者ＩＤ」に対応付けられた利用者によって選択された商品の履歴に関する情報である。例えば、選択履歴は、動画像に含まれる商品が利用者に利用された回数等を含んでもよい。
【００５４】
例えば、図３では、動画ＩＤによって識別された「動画＃１」は、撮影者ＩＤが「撮影者＃１」であり、撮影店舗が「店舗＃１」であり、撮影日時が「日時＃１」であり、動画像データが「データ＃１」であり、商品情報が「商品情報＃１」であり、選択履歴が「履歴＃１」である。なお、図３に示した例では、店舗＃Ｕ１等の抽象的な符号で表現したが、具体的なファイル形式、数値、名称等に関する情報であってもよい。
【００５５】
（店舗データベース１２２について）
実施形態に係る店舗データベース１２２は、店舗に関する情報を記憶する。ここで、図４に、実施形態に係る店舗データベース１２２の一例を示す。図４に示した例では、店舗データベース１２２は、「店舗ＩＤ」、「店舗位置」、「店舗属性」といった項目を有する。
【００５６】
「店舗ＩＤ」は、店舗を識別する識別子である。「店舗位置」は、「店舗ＩＤ」に対応付けられた店舗の位置情報である。「店舗属性」は、「店舗ＩＤ」に対応付けられた店舗の属性に関する情報である。例えば、店舗属性は、店舗の種別等を含んでもよい。ここでいう店舗の種別とは、例えば、家電量販店、スーパーマーケット等を示す。
【００５７】
例えば、図４では、店舗ＩＤによって識別された「店舗＃１」は、店舗位置が「店舗位置＃１」であり、店舗属性が「属性＃１」である。なお、図４に示した例では、店舗位置＃１等の抽象的な符号で表現したが、具体的なファイル形式、数値、名称等に関する情報であってもよい。
【００５８】
（決済データベース１２３について）
実施形態に係る決済データベース１２３は、利用者の決済に関する情報を記憶する。ここで、図５に、実施形態に係る決済データベース１２３の一例を示す。図５に示した例では、決済データベース１２３は、「決済ＩＤ」、「利用者ＩＤ」、「撮影者ＩＤ」、「購入者ＩＤ」、「購入価格」、「撮影手数料」、「購入手数料」といった項目を有する。
【００５９】
「決済ＩＤ」は、決済を識別する識別子である。「利用者ＩＤ」は、利用者を識別する識別子である。「撮影者ＩＤ」は、撮影者を識別する識別子である。
【００６０】
「購入者ＩＤ」は、購入者を識別する識別子である。「購入価格」は、「決算ＩＤ」に対応付けられた商品の購入価格に関する情報である。「撮影手数料」は、「決算ＩＤ」に対応付けられた撮影手数料に関する情報である。「購入手数料」は、「決算ＩＤ」に対応付けられた購入手数料に関する情報である。
【００６１】
例えば、図５では、決済ＩＤによって識別された「決済＃１」は、利用者ＩＤが「利用者＃１」であり、撮影者ＩＤが「撮影者＃１」であり、購入者ＩＤが「購入者＃１」であり、購入価格が「購入価格＃１」であり、撮影手数料が「撮影手数料＃１」であり、購入手数料が「購入手数料＃１」である。なお、図５に示した例では、購入価格＃１等の抽象的な符号で表現したが、具体的なファイル形式、数値等に関する情報であってもよい。また、撮影者ＩＤと購入者ＩＤとが同一の人物を示すＩＤで示されてもよい。
【００６２】
（制御部１３０について）
制御部１３０は、コントローラ（Controller）であり、例えば、ＣＰＵ（Central  Processing  Unit）やＭＰＵ（Micro  Processing  Unit）等によって、提供装置１００内部の記憶装置に記憶されている各種プログラム（提供プログラムの一例に相当）がＲＡＭを作業領域として実行されることにより実現される。また、制御部１３０は、コントローラであり、例えば、ＡＳＩＣ（Application  Specific  Integrated  Circuit）やＦＰＧＡ（Field  Programmable  Gate  Array）等の集積回路により実現される。
【００６３】
図２に示すように、制御部１３０は、取得部１３１と、抽出部１３２と、画像提供部１３３と、受付部１３４と、提供部１３５と、設定部１３６とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００６４】
（取得部１３１について）
取得部１３１は、各種情報を取得する。具体的には、取得部１３１は、店舗データベース１２２を参照することで、所定の施設において販売されている取引対象の撮影画像を取得する。また、具体的には、取得部１３１は、所定の撮影者によって撮影された撮影画像を取得する。また、具体的には、取得部１３１は、複数の撮影者がそれぞれ個別に撮影した撮影画像であって、同一の施設において販売されている取引対象の撮影画像を取得する。
【００６５】
例えば、取得部１３１は、撮影者Ｐ１によって撮影されたスーパーマーケットＳＴ１と、家電量販店ＳＴ２との店舗内の様子に関する撮影画像を撮影者端末装置２０から取得する。そして、取得部１３１は、かかる撮影画像を撮影画像データベース１２１に記憶する。
【００６６】
（抽出部１３２について）
抽出部１３２は、取得部１３１により取得された撮影画像から、取引対象が撮影された範囲を抽出する。例えば、抽出部１３２は、画像認識技術を用いて、撮影画像から商品に関する情報を抽出する。例えば、商品に関する情報とは、商品の名称、価格、画像、動画中の撮影位置、商品に関する情報についてのリンクに関する情報等である。
【００６７】
（画像提供部１３３について）
画像提供部１３３（第１提供部の一例）は、取得部１３１により取得された撮影画像に基づいた情報である撮影情報を利用者に提供する。また、画像提供部１３３は、撮影者として撮影画像を撮影した購入者に対し、購入者が撮影した取引対象の情報である取引対象情報を提供する。また、画像提供部１３３は、撮影画像のうち、利用者が選択した撮影者により撮影された撮影画像に基づいた撮影情報を提供する。また、画像提供部１３３は、抽出部１３２により抽出された範囲を選択可能な状態で撮影画像を利用者に提供する。
【００６８】
例えば、商品がカメラと、りんごであるものとする。この場合、図１の例では、画像提供部１３３は、撮影画像に撮影されているカメラとりんごとに関する情報を撮影情報として利用者Ｕ１に提供する。
【００６９】
（受付部１３４について）
受付部１３４は、各種情報を受付ける。具体的には、受付部１３１は、撮影画像に含まれる商品のうち、利用者Ｕ１による購入したい商品の選択を受付ける。例えば、利用者Ｕ１による購入したい商品がりんごであるものとする。この場合、図１の例では、受付部１３１は、撮影画像に含まれる商品のうち、りんごの選択を利用者Ｕ１から受付ける。
【００７０】
（提供部１３５について）
提供部１３５（第２提供部の一例）は、撮影情報に基づいて利用者が選択した取引対象の情報である取引対象情報を、取引対象の購入を代行する購入者に提供する。具体的には、提供部１３５は、取引対象情報として、利用者が選択した取引対象を示す情報と、取引対象の撮影画像が撮影された施設を示す情報とを含む取引対象情報を購入者に提供する。
【００７１】
例えば、商品がカメラと、りんごであるものとする。この場合、図１の例では、提供部１３５は、特定した購入者Ｂ１に対して、スーバーマーケットＳＴ１とりんごとの組み合わせと、家電量販店ＳＴ２とカメラとの組み合わせとに関する情報を提供する。
【００７２】
（設定部１３６について）
設定部１３６は、決済データベース１２３を参照することで、購入費用と、購入手数料とに加えて、購入された取引対象の撮影画像を撮影した撮影者に対して提供される撮影手数料とを含む請求金額を利用者に対して設定する。
【００７３】
より具体的には、設定部１３６は、取引対象が購入され、かつ、取引対象が利用者に対して提供された場合は、請求金額を利用者に対して提供する。また、設定部１３６は、所定の決済手段を用いて購入者が取引対象を購入した場合は、決済手段を介して購入手数料を購入者に対して提供し、決済手段を介して購入費用と購入手数料とを利用者に対して請求する。
【００７４】
例えば、商品がカメラと、りんごであるものとする。また、カメラの価格が「２００００円」であり、りんごの価格が「９０円」であるものとする。また、購入手数料が「３００円」であるものとする。この場合、図１の例では、設定部１３６は、購入者によってカメラとりんごが購入された場合に、カメラとりんごの購入費用である「２００９０円」と、購入手数料「３００」との和である請求金額「２０３９０円」を利用者Ｕ１に請求する。
【００７５】
例えば、商品がカメラと、りんごであるものとする。また、カメラの価格が「２００００円」であり、りんごの価格が「９０円」であるものとする。また、撮影手数料が「１０００円」であるものとする。また、購入手数料が「３００円」であるものとする。この場合、図１の例では、設定部１３６は、購入者によってカメラとりんごが購入された場合に、カメラとりんごの購入費用である「２００９０円」と、撮影手数料が「１０００円」と、購入手数料「３００」との和である請求金額「２１３９０円」を利用者Ｕ１に請求する。
【００７６】
なお、設定部１３６は、購入者ではなく利用者に撮影手数料と購入手数料との割増分を合わせて請求してもよい。また、設定部１３６は、購入者が全額支払って、購入料金と購入手数料とを後から利用者に請求してもよい。
【００７７】
〔３．処理手順〕
次に、図６を用いて、実施形態に係る提供装置１００が実行する提供処理の手順について説明する。図６は、実施形態に係る提供装置１００が実行する提供処理の流れの一例を示すフローチャートである。
【００７８】
図６に示すように、取得部１３１は、撮影動画を取得する（ステップＳ１０１）。そして、取得部１３１は、撮影動画を取得していない場合（ステップＳ１０１；Ｎｏ）、撮影動画を取得するまで待機する。
【００７９】
一方、取得部１３１は、撮影動画を取得した場合（ステップＳ１０１；Ｙｅｓ）、利用者の位置情報を取得する（ステップＳ１０２）。そして、画像提供部１３３は、取得部１３１により取得した位置情報との位置関係が、所定の条件を満たす施設を特定する（ステップＳ１０３）。
【００８０】
そして、画像提供部１３３は、特定した施設で撮影された撮影画像のうち、撮影者が所定の条件を満たす撮影画像を利用者に提供する（ステップＳ１０４）。そして、受付部１３４は、利用者による商品の選択を受付ける（ステップＳ１０５）。そして、提供部１３５は、受付部１３４が利用者による商品の選択を受付けない場合（ステップＳ１０５；Ｎｏ）、利用者による商品の選択を受付けるまで待機する。
【００８１】
一方、提供部１３５は、受付部１３４が利用者による商品の選択を受付けた場合（ステップＳ１０５；Ｙｅｓ）、選択された商品に関する情報を購入者に提供する（ステップＳ１０６）。そして、設定部１３６は、所定の条件を満たしたことを契機として、決済処理を実行する（ステップＳ１０８）。
【００８２】
〔４．変形例〕
上述した提供装置１００は、上記実施形態以外にも種々の異なる形態にて実施されてよい。そこで、以下では、提供装置１００の他の実施形態について説明する。
【００８３】
〔４−１．画像提供処理（１）人気度に応じた提供〕
上記実施形態では、提供装置１００の画像提供部１３３が取得部１３１により取得された撮影画像に基づいた情報である撮影情報を利用者に提供する画像提供処理の一例を説明したが、上記画像提供処理に限定されない。具体的には、画像提供部１３３は、利用者からの選択履歴に応じた人気度が所定の条件を満たす撮影者により撮影された撮影画像に基づく撮影情報を提供してもよい。
【００８４】
例えば、複数の撮影者が、各々に所定の店舗の様子を撮影するものとする。この場合、画像提供部１３３は、複数の撮影者のうち、過去にすべての利用者の中で最も選択された撮影画像を撮影した撮影者によって所定の店舗の様子を撮影された撮影画像を含む撮影情報を利用者に提供してもよい。なお、人気度を示すスコアを算出することで、所定の閾値以上のスコアを有する撮影者を選択してもよい。
【００８５】
これにより、実施形態に係る提供装置１００の画像提供部１３３は、利用者からの選択履歴に応じた人気度が所定の条件を満たす撮影者により撮影された撮影画像に基づく撮影情報を提供するため、柔軟な取引対象の購入を実現することができる。
【００８６】
〔４−２．画像提供処理（２）最新動画〕
上記実施形態では、提供装置１００の画像提供部１３３が取得部１３１により取得された撮影画像に基づいた情報である撮影情報を利用者に提供する画像提供処理の一例を説明したが、上記画像提供処理に限定されない。具体的には、画像提供部１３３は、撮影されてから経過した期間が最も短い撮影画像に基づく撮影情報を提供してもよい。
【００８７】
例えば、撮影されてから経過した期間が最も短い撮影画像が５時間前に撮影された撮影画像であるものとする。この場合、画像提供部１３３は、５時間前に撮影された撮影画像を含む撮影情報を利用者に提供してもよい。また、例えば、タイムセールが３時間毎に行われる店舗で撮影された撮影画像を含む撮影情報を利用者に提供する例を説明するものとする。この場合、画像提供部１３３は、タイムセールが行われる時間帯に合わせて３時間前に撮影された撮影画像を含む撮影情報を利用者に提供してもよい。
【００８８】
これにより、実施形態に係る提供装置１００の画像提供部１３３は、撮影されてから経過した期間が最も短い撮影画像に基づく撮影情報を提供するため、柔軟な取引対象の購入を実現することができる。
【００８９】
〔４−３．画像提供処理（３）商品以外を消去した動画〕
上記実施形態では、提供装置１００の画像提供部１３３が取得部１３１により取得された撮影画像に基づいた情報である撮影情報を利用者に提供する画像提供処理の一例を説明したが、上記画像提供処理に限定されない。具体的には、画像提供部１３３は、撮影画像に撮影されるオブジェクトのうち、取引対象に関するオブジェクト以外のオブジェクトを消去した画像を撮影情報として利用者に提供してもよい。ここでいうオブジェクトは、例えば、他の客、ショッピングカート、品出し用のカート等である。
【００９０】
例えば、商品以外のオブジェクトとして、他の客、ショッピングカート、品出し用のカートを消去する例を説明するものとする。この場合、画像提供部１３３は、画像処理等の従来技術より、他の客、ショッピングカート、品出し用のカートが消去された撮影画像を利用者に提供してもよい。
【００９１】
これにより、実施形態に係る提供装置１００の画像提供部１３３は、撮影画像に撮影されるオブジェクトのうち、取引対象に関するオブジェクト以外のオブジェクトを消去した画像を撮影情報として利用者に提供するため、柔軟な取引対象の購入を実現することができる。
【００９２】
〔４−４．画像提供処理（４）近傍店舗〕
上記実施形態では、提供装置１００の画像提供部１３３が取得部１３１により取得された撮影画像に基づいた情報である撮影情報を利用者に提供する画像提供処理の一例を説明したが、上記画像提供処理に限定されない。具体的には、画像提供部１３３は、利用者の位置から所定の範囲内に所在する施設で撮影された撮影画像に基づく撮影情報を提供してもよい。
【００９３】
例えば、所定の範囲内として、半径５ｋｍ以内の距離を探索するものとする。この場合、画像提供部１３３は、利用者の位置から所定の範囲内に所在する商品が撮影された店舗のうち、利用者と店舗との距離が半径５ｋｍ以内の距離に位置する店舗を特定する。そして、画像提供部１３３は、かかる店舗で撮影された撮影画像を利用者に提供してもよい。
【００９４】
これにより、実施形態に係る提供装置１００の画像提供部１３３は、利用者の位置から所定の範囲内に所在する施設で撮影された撮影画像に基づく撮影情報を提供するため、柔軟な取引対象の購入を実現することができる。
【００９５】
〔４−５．提供処理  近傍クーリエ〕
上記実施形態では、提供装置１００の提供部１３５が撮影情報に基づいて利用者が選択した取引対象の情報である取引対象情報を、取引対象の購入を代行する購入者に提供する提供処理の一例を説明したが、上記提供処理に限定されない。具体的には、提供部１３５は、利用者が選択した取引対象が撮影された施設から所定の範囲内に所在する購入者に対し、取引対象の取引対象情報を提供してもよい。
【００９６】
例えば、所定の範囲内として、半径５ｋｍ以内の距離を探索するものとする。この場合、図１の例では、提供部１３５は、選択された商品が撮影された店舗から所定の範囲内に所在する購入者のうち、店舗と購入者との距離が半径５ｋｍ以内の距離に位置する購入者Ｂ１を特定する。そして、提供部１３５は、商品に関する情報を購入者Ｂ１に提供する。例えば、商品がカメラと、りんごであるものとする。この場合、図１の例では、提供部１３５は、特定した購入者Ｂ１に対して、スーバーマーケットＳＴ１とりんごとの組み合わせと、家電量販店ＳＴ２とカメラとの組み合わせとに関する情報を提供する。
【００９７】
これにより、実施形態に係る提供装置１００の提供部１３５は、利用者が選択した取引対象が撮影された施設から所定の範囲内に所在する購入者に対し、取引対象の取引対象情報を提供するため、柔軟な取引対象の購入を実現することができる。
【００９８】
〔５．ハードウェア構成〕
また、上述してきた実施形態に係る利用者端末装置１０、撮影者端末装置２０、購入者端末装置３０及び提供装置１００は、例えば図７に示すような構成のコンピュータ１０００によって実現される。以下、提供装置１００を例に挙げて説明する。図７は、提供装置１００の機能を実現するコンピュータ１０００の一例を示すハードウェア構成図である。コンピュータ１０００は、ＣＰＵ１１００、ＲＡＭ１２００、ＲＯＭ（Read  Only  Memory）１３００、ＨＤＤ（Hard  Disk  Drive）１４００、通信インターフェイス（Ｉ／Ｆ）１５００、入出力インターフェイス（Ｉ／Ｆ）１６００、及びメディアインターフェイス（Ｉ／Ｆ）１７００を有する。
【００９９】
ＣＰＵ１１００は、ＲＯＭ１３００又はＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１００】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００がネットワークＮを介して生成したデータを他の機器へ送信する。
【０１０１】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１０２】
メディアインターフェイス１７００は、記録媒体１８００に格納されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１０３】
例えば、コンピュータ１０００が実施形態に係る提供装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、記憶部１２０内のデータが格納される。コンピュータ１０００のＣＰＵ１１００は、これらのプログラムを記録媒体１８００から読み取って実行するが、他の例として、他の装置からネットワークＮを介してこれらのプログラムを取得してもよい。
【０１０４】
〔６．その他〕
また、上記実施形態及び変形例において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１０５】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１０６】
また、上述してきた実施形態及び変形例は、処理内容を矛盾させない範囲で適宜組み合わせることが可能である。
【０１０７】
また、上述してきた「部（section、module、unit）」は、「手段」や「回路」などに読み替えることができる。例えば、提供部は、提供手段や提供回路に読み替えることができる。
【０１０８】
〔７．効果〕
上述してきたように、実施形態に係る提供装置１００は、取得部１３１と、画像提供部１３３（第１提供部の一例）と、提供部１３５（第２提供部の一例）とを有する。取得部１３１は、所定の施設において販売されている取引対象の撮影画像を取得する。画像提供部１３３は、取得部１３１により取得された撮影画像に基づいた情報である撮影情報を利用者に提供する。提供部１３５は、撮影情報に基づいて利用者が選択した取引対象の情報である取引対象情報を、取引対象の購入を代行する購入者に提供する。
【０１０９】
これにより、実施形態に係る提供装置１００は、撮影情報に基づいて利用者が選択した取引対象の情報である取引対象情報を、取引対象の購入を代行する購入者に提供するため、柔軟な取引対象の購入を実現することができる。
【０１１０】
また、実施形態に係る提供装置１００において、取得部１３１は、所定の撮影者によって撮影された撮影画像を取得する。
【０１１１】
これにより、実施形態に係る提供装置１００は、所定の撮影者によって撮影された撮影画像を取得するため、柔軟な取引対象の購入を実現することができる。
【０１１２】
また、実施形態に係る提供装置１００において、提供部１３５は、撮影者として撮影画像を撮影した購入者に対し、購入者が撮影した取引対象の情報である取引対象情報を提供する。
【０１１３】
これにより、実施形態に係る提供装置１００は、撮影者として撮影画像を撮影した購入者に対し、購入者が撮影した取引対象の情報である取引対象情報を提供するため、柔軟な取引対象の購入を実現することができる。
【０１１４】
また、実施形態に係る提供装置１００において、取得部１３１は、複数の撮影者がそれぞれ個別に撮影した撮影画像であって、同一の施設において販売されている取引対象の撮影画像を取得し、画像提供部１３３は、撮影画像のうち、利用者が選択した撮影者により撮影された撮影画像に基づいた撮影情報を提供する。
【０１１５】
これにより、実施形態に係る提供装置１００は、撮影画像のうち、利用者が選択した撮影者により撮影された撮影画像に基づいた撮影情報を提供するため、柔軟な取引対象の購入を実現することができる。
【０１１６】
また、実施形態に係る提供装置１００において、画像提供部１３３は、利用者からの選択履歴に応じた人気度が所定の条件を満たす撮影者により撮影された撮影画像に基づく撮影情報を提供する。
【０１１７】
これにより、実施形態に係る提供装置１００は、利用者からの選択履歴に応じた人気度が所定の条件を満たす撮影者により撮影された撮影画像に基づく撮影情報を提供するため、柔軟な取引対象の購入を実現することができる。
【０１１８】
また、実施形態に係る提供装置１００において、画像提案部１３３は、撮影されてから経過した期間が最も短い撮影画像に基づく撮影情報を提供する。
【０１１９】
これにより、実施形態に係る提供装置１００は、撮影されてから経過した期間が最も短い撮影画像に基づく撮影情報を提供するため、柔軟な取引対象の購入を実現することができる。
【０１２０】
また、実施形態に係る提供装置１００において、取得部１３１により取得された撮影画像から、取引対象が撮影された範囲を抽出する抽出部１３２を有し、画像提供部１３３は、抽出部１３２により抽出された範囲を選択可能な状態で撮影画像を利用者に提供し、提供部１３５は、利用者が選択した範囲に含まれる取引対象の取引対象情報を購入者に提供する。
【０１２１】
これにより、実施形態に係る提供装置１００は、利用者が選択した範囲に含まれる取引対象の取引対象情報を購入者に提供するため、柔軟な取引対象の購入を実現することができる。
【０１２２】
また、実施形態に係る提供装置１００において、画像提供部１３３は、撮影画像に撮影されている取引対象に関する情報を撮影情報として利用者に提供する。
【０１２３】
これにより、実施形態に係る提供装置１００は、撮影画像に撮影されている取引対象に関する情報を撮影情報として利用者に提供するため、柔軟な取引対象の購入を実現することができる。
【０１２４】
また、実施形態に係る提供装置１００において、提供部１３５は、取引対象情報として、利用者が選択した取引対象を示す情報と、取引対象の撮影画像が撮影された施設を示す情報とを含む取引対象情報を購入者に提供する。
【０１２５】
これにより、実施形態に係る提供装置１００は、取引対象情報として、利用者が選択した取引対象を示す情報と、取引対象の撮影画像が撮影された施設を示す情報とを含む取引対象情報を購入者に提供するため、柔軟な取引対象の購入を実現することができる。
【０１２６】
また、実施形態に係る提供装置１００において、購入者により取引対象情報が示す取引対象が購入された場合は、取引対象の購入費用と、購入者に対して提供される購入手数料とを含む請求金額を利用者に対して設定する設定部１３６を有する。
【０１２７】
これにより、実施形態に係る提供装置１００は、購入者により取引対象情報が示す取引対象が購入された場合は、取引対象の購入費用と、購入者に対して提供される購入手数料とを含む請求金額を利用者に対して設定するため、柔軟な取引対象の購入を実現することができる。
【０１２８】
また、実施形態に係る提供装置１００において、設定部１３６は、購入費用と、購入手数料とに加えて、購入された取引対象の撮影画像を撮影した撮影者に対して提供される撮影手数料とを含む請求金額を利用者に対して設定する。
【０１２９】
これにより、実施形態に係る提供装置１００は、購入費用と、購入手数料とに加えて、購入された取引対象の撮影画像を撮影した撮影者に対して提供される撮影手数料とを含む請求金額を利用者に対して設定するため、柔軟な取引対象の購入を実現することができる。
【０１３０】
また、実施形態に係る提供装置１００において、設定部１３６は、取引対象が購入され、かつ、取引対象が利用者に対して提供された場合は、請求金額を利用者に対して提供する。
【０１３１】
これにより、実施形態に係る提供装置１００は、取引対象が購入され、かつ、取引対象が利用者に対して提供された場合は、請求金額を利用者に対して提供するため、柔軟な取引対象の購入を実現することができる。
【０１３２】
また、実施形態に係る提供装置１００において、画像提供部１３３は、撮影画像に撮影されるオブジェクトのうち、取引対象に関するオブジェクト以外のオブジェクトを消去した画像を撮影情報として利用者に提供する。
【０１３３】
これにより、実施形態に係る提供装置１００は、撮影画像に撮影されるオブジェクトのうち、取引対象に関するオブジェクト以外のオブジェクトを消去した画像を撮影情報として利用者に提供するため、柔軟な取引対象の購入を実現することができる。
【０１３４】
また、実施形態に係る提供装置１００において、画像提供部１３３は、利用者の位置から所定の範囲内に所在する施設で撮影された撮影画像に基づく撮影情報を提供する。
【０１３５】
これにより、実施形態に係る提供装置１００は、利用者の位置から所定の範囲内に所在する施設で撮影された撮影画像に基づく撮影情報を提供するため、柔軟な取引対象の購入を実現することができる。
【０１３６】
また、実施形態に係る提供装置１００において、提供部１３５は、利用者が選択した取引対象が撮影された施設から所定の範囲内に所在する購入者に対し、取引対象の取引対象情報を提供する。
【０１３７】
これにより、実施形態に係る提供装置１００は、利用者が選択した取引対象が撮影された施設から所定の範囲内に所在する購入者に対し、取引対象の取引対象情報を提供するため、柔軟な取引対象の購入を実現することができる。
【０１３８】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【符号の説明】
【０１３９】
１  提供システム
１０  利用者端末装置
２０  撮影者端末装置
３０  購入者端末装置
１００  提供装置
１１０  通信部
１２０  記憶部
１２１  撮影画像データベース
１２２  店舗データベース
１２３  決済データベース
１３０  制御部
１３１  取得部
１３２  抽出部
１３３  画像提供部
１３４  受付部
１３５  提供部
１３６  設定部
【図１】
2020149613.tif 000003
【図２】
2020149613.tif 000004
【図３】
2020149613.tif 000005
【図４】
2020149613.tif 000006
【図５】
2020149613.tif 000007
【図６】
2020149613.tif 000008
【図７】
2020149613.tif 000009